(57)【要約】【課題】  従来、携帯電話で放送の視聴を可能とする提案がなされているが、受信用のアンテナについて具体的に提案されたものはないのが実情であった。【解決手段】  上記課題を解決するべく、操作用のボタン２を有する操作部１と、長方形状の画面を有する表示器３及びこの表示器３の画面長手方向に平行に且つこの表示器３の配設面８に対して直交するように設けられた２つの平面アンテナ６、７を有する直方体状の表示部４とを具備した携帯電話装置であって、前記表示部４は前記操作部１に対して前記表示部４の表示器３の画面の方向を変更可能に結合させるようにした。【選択図】  図１
2005184454.tif 000002
【特許請求の範囲】
【請求項１】
操作用のボタンを有する操作部と、長方形状の画面を有する表示器が設けられ前記操作部に対するこの表示器の画面の方向を変更可能に前記操作部に結合された直方体状の表示部とを具備した携帯電話装置であって、前記表示部は前記表示器の画面長手方向に平行に且つ表示器の配設面に対して直交するように設けられた２つの平面アンテナを有することを特徴とする携帯電話装置。
【請求項２】
請求項１記載の携帯電話装置において、前記２つの平面アンテナは衛星放送受信用に設けられていることを特徴とする携帯電話装置。
【請求項３】
操作用のボタンを有する操作部と、長方形状の画面を有する表示器が設けられ前記操作部に対するこの表示器の画面の方向を変更可能に前記操作部に結合された直方体状の表示部とを具備した携帯電話装置であって、前記表示部は前記表示器の画面長手方向に平行に且つ表示器の配設面に対して直交するように設けられた２つの平面アンテナを有し、前記表示器の長手方向が水平面と略平行になるように前記表示部が前記操作部に対して配置されたときは衛星放送を前記２つの平面アンテナを用いて受信可能とし、前記表示器の長手方向が水平面と略垂直になるように前記表示部が前記操作部に対して配置されたときはギャップフィラーからの衛星放送を前記２つの平面アンテナを用いて受信可能としたことを特徴とする携帯電話装置。
【請求項４】
操作用のボタンを有する操作部と、長方形状の画面を有する表示器が設けられ前記操作部と結合した直方体状の表示部とを具備した携帯電話装置であって、前記表示器の画面長手方向に平行に且つこの表示器の配設面に対して直交するように設けられた２つの平面アンテナを具備したことを特徴とする携帯電話装置。
【発明の詳細な説明】
【技術分野】
【０００１】
本発明は、携帯電話装置に関する。
【背景技術】
【０００２】
携帯電話等の移動端末機にてデジタル放送の視聴を可能とする提案がなされている（例えば、特許文献１を参照）。しかしながら、上記放送視聴のための受信用アンテナについては、その配置等を含め具体的には検討がなされていない状況にある。一方、通信衛星を使用した携帯通信において、平面アンテナ手段とヘリカルアンテナ手段を携帯無線機の上端部近傍にともに配置することで安定した通信感度を得るようにした提案もなされているが、これは携帯通信のみの受信であり、放送の視聴とは関係していない（特許文献２を参照）。
【特許文献１】特開２００３−１０１８１２号公報（第３頁乃至第４頁、図１）
【特許文献２】特開平９−２８４０２２号公報（第２頁乃至第３頁、図１）
【発明の開示】
【発明が解決しようとする課題】
【０００３】
上述したように、従来、携帯電話で放送の視聴を可能とする提案がなされているが、受信用のアンテナについて具体的に提案されたものはないのが実情であった。
【０００４】
本発明はこのような点に鑑みてなされたもので、放送受信に適したアンテナを有する携帯電話装置を提供することを目的とする。
【課題を解決するための手段】
【０００５】
上記目的を達成するために、請求項１にかかる携帯電話装置は、操作用のボタンを有する操作部と、長方形状の画面を有する表示器が設けられ前記操作部に対するこの表示器の画面の方向を変更可能に前記操作部に結合された直方体状の表示部とを具備した携帯電話装置であって、前記表示部は前記表示器の画面長手方向に平行に且つ表示器の配設面に対して直交するように設けられた２つの平面アンテナを有することを特徴とするものである。
【０００６】
また、請求項２にかかる携帯電話装置は、請求項１記載の携帯電話装置において、前記２つの平面アンテナは衛星放送受信用に設けられていることを特徴とするものである。
【０００７】
さらに、請求項３にかかる携帯電話装置は、操作用のボタンを有する操作部と、長方形状の画面を有する表示器が設けられ前記操作部に対するこの表示器の画面の方向を変更可能に前記操作部に結合された直方体状の表示部とを具備した携帯電話装置であって、前記表示部は前記表示器の画面長手方向に平行に且つ表示器の配設面に対して直交するように設けられた２つの平面アンテナを有し、前記表示器の長手方向が水平面と略平行になるように前記表示部が前記操作部に対して配置されたときは衛星放送を前記２つの平面アンテナを用いて受信可能とし、前記表示器の長手方向が水平面と略垂直になるように前記表示部が前記操作部に対して配置されたときはギャップフィラーからの衛星放送を前記２つの平面アンテナを用いて受信可能としたことを特徴とするものである。
【０００８】
請求項４にかかる携帯電話装置は、操作用のボタンを有する操作部と、長方形状の画面を有する表示器が設けられ前記操作部と結合した直方体状の表示部とを具備した携帯電話
装置であって、前記表示器の画面長手方向に平行に且つこの表示器の配設面に対して直交するように設けられた２つの平面アンテナを具備したことを特徴とするものである。
【発明の効果】
【０００９】
本発明によれば、放送受信に適したアンテナを有する携帯電話装置を提供することが出来る。
【発明を実施するための最良の形態】
【００１０】
以下、本発明になる携帯電話装置の実施の形態について、図面を参照して説明する。
【００１１】
図１は本発明になる携帯電話装置の一実施の形態を示す斜視図である。図中、１はダイヤルキーを含めた各種の操作ボタン２を有する操作部であり、この操作部１には、画面が長方形状の液晶表示器３を搭載した表示部４が結合している。この表示部４は、操作部１に対する液晶表示器３の画面方向を変更可能に操作部１と結合している。図は操作部１に対して表示部４を９０度回転させた状態を示している。なお、操作部１と表示部４との結合構造については詳細を後述する。
【００１２】
表示部４にはさらに携帯電話装置の電話用ヘリカルアンテナ５及び衛星放送受信用の平面アンテナ６、７が配設されている。これら平面アンテナ６、７は、表示部４の液晶表示器３の画面長手方向に平行に且つ液晶表示器３配設面８と略直交するように表示部４の内部で外面９近くに配置されており、図中上部方向に指向性を有するダイバーシチアンテナとなっている。
【００１３】
次に、操作部１と表示部４との結合構造の一例について、図２を用いて説明する。図２は、操作部１と表示部４との結合構造を説明するための要部拡大斜視図（同図（Ａ））及び要部拡大平面図（同図（Ｂ））である。図中、図１と同一部分には同一符号を付してその説明は省略する。１１は操作部１の操作ボタン配設面１２に軸Ｒ１を中心として回転可能に配設された筒状部材であり、表示部４はその端部に形成された凹部１３に、この筒状部材１１を挟み込むようにして凹部１３に設けられた軸状部材１４（図２（Ｂ）参照）により筒状部材１１と結合している。そして表示部４はこの軸状部材１４の中心軸Ｒ２を回転中心として回転可能となっている。
【００１４】
従って、表示部４は操作部１の操作ボタン配設面１２と平行な面内で操作部１に対して回転可能に操作部１に支持されると共に、操作ボタン配設面１２と直交する面内でも回転可能に支持される。もちろん、軸状部材１４を折り畳み中心にして、表示部４と操作部１を液晶表示器３の配設面８と操作ボタン配設面１２とを対向させるようにして完全に折り畳むことも出来る。なお、図示しないが、操作部１と表示部４との電気的な接続は、筒状部材１１及び軸状部材１４の内部に設けられた配線を介してなされている。
【００１５】
次に図３も参照して、図１の携帯電話装置の放送受信動作について説明する。携帯電話装置を用いて衛星放送を視聴しようとする場合、視聴者は操作部１と表示部４とが図示せぬ折り畳み状態から両部１、４を広げた後、表示部４を操作部１に対して９０度回転させる。すると、液晶表示器３の画面は図３に示す如く水平方向に対し横長配置となり、表示される映像も通常の横長画面で表示される。また平面アンテナ６及び７は、図３で示す衛星２１から送出される衛星放送用電波２２、２３を容易に受信し得る位置に位置する。平面アンテナ６、７は、ダイバーシチアンテナとなっているため、いずれか一方からより良好な信号を受信出来ることになる。なお、図３で２４、２５は受信電波の放射パターンを示す。
【００１６】
上記実施の形態によれば、携帯電話の受信はもちろんのこと、携帯電話と周波数の異な
る衛星放送も指向性アンテナである平面アンテナとダイバシチ効果を用いて良好に受信することができる。すなわち、表示器３が水平方向に対し横長に位置した時、平面アンテナが上部に位置することによって、平面アンテナの指向性及びダイバシチ効果を利用して衛星からの微弱電波を受信することが可能となる。
【００１７】
なお、衛星放送の映像受信による画面は横長（４：３や１６：９の横縦比）であり、表示器の画面が縦長である場合は、表示画面を小さくするか、画面の一部が切れた形で表示することになる。一方、画面を横長にして横向きに再生した場合は、表示器３の画面を有効に利用できる。
【００１８】
ところで、図４（操作部１と表示部４との結合部分は簡略化して示す）に示すように、携帯電話装置の操作部１と表示部４とを開いて保持した状態においても、本実施の形態によれば、平面アンテナが表示部４の側面側に位置し、水平面に対して垂直な面に位置することになる。従って、衛星２１（図３参照）からの電波を再放射電波３１、３２として送信する装置（ギャップフィラー）３３が例えば街中に配置されていれば、このような状態においても衛星放送を良好に受信することが出来る。もちろん、携帯基地局３４からの電波３５もアンテナ５で受信可能である。なお、３６、３７はアンテナ６及び７の各放射パターンを、３８、３９はアンテナ５の放射パターンを示す。
【００１９】
ギャップフィラー３３からの電波は地上波のために横方向からの指向性があり、平面アンテナ６、７が横方向を向いていることによって、最大の利得を得ることが出来る。
【００２０】
また、図５（操作部１と表示部４との結合部分は簡略化して示す）に示すように携帯電話装置の操作部１と表示部４とを閉じて保持した状態においても、本実施の形態によれば、平面アンテナ６及び７が表示部４の側面側に位置し、水平面に対して垂直な面に位置することになる。従って、ギャップフィラー３３からの再放射電波３１、３２を受信でき、衛星放送を良好に視聴することが出来る。
【図面の簡単な説明】
【００２１】
【図１】本発明になる携帯電話装置の一実施の形態を示す斜視図。
【図２】図１の装置の一部の構造を説明するための要部斜視図及び要部平面図。
【図３】図１の装置の動作を説明するための斜視図。
【図４】図１の装置の他の使用形態を説明するための斜視図。
【図５】図１の装置のさらに他の使用形態を説明するための斜視図。
【符号の説明】
【００２２】
１：  操作部
２：  操作ボタン
３：  液晶表示器
４：  表示部
５：  ヘリカルアンテナ
６、７：  平面アンテナ
８：  液晶表示器３配設面
２１：  衛星
３３：  ギャップフィラー
【図１】
2005184454.tif 000003
【図２】
2005184454.tif 000004
【図３】
2005184454.tif 000005
【図４】
2005184454.tif 000006
【図５】
2005184454.tif 000007